(57)【要約】【課題】  使用時の安定性を増したバッティング練習器の提供。【解決手段】  本考案は、球置き管、撓み性管、中棒、底棒、ベースを具えたバッティング練習器であり、使用者がバットで球置き管或いは撓み性管を打つ時に中空の撓み性管に設けられた複数の環形凹溝により比較的大きな幅の湾曲を形成して直接打撃力を受けることでバッティング練習器が倒れる状況を防止し、これにより使用時の安定性を増したことを特徴とする、バッティング練習器としている。【選択図】        図２
0003103848.tif 000002
【実用新案登録請求の範囲】
【請求項１】
球置き管、撓み性管、中棒、底棒、ベースを具えたバッティング練習器であり、
該球置き管は中空の管体とされ、プラスチック材料で形成され、その上端が拡大管口を呈してボールを支持し、下方に環形フランジを具えて撓み性管の上方に圧入され、
該撓み性管は軟性ゴムで形成された中空管とされ、且つその外周に複数の環形凹溝が形成され、上端に管径が小さい管口が形成されて球置き管の下方の環形フランジが圧入され、該撓み性管の下端に管径が小さい管底があり中棒の上方と嵌挿され、
該中棒はゴムで形成され、その上方に設けられた環形凹縁により環形フランジが形成され、該環形フランジが撓み性管の下方に挿入され、中棒の下方が底棒の嵌め溝上方に挿入され、
該底棒は嵌め溝を具え、中棒の下方が緊迫方式で適当な距離挿入され、その下方に金属雌ネジシートを具え、ネジ部品でベースと結合され、
該ベースはゴム材質の板塊状体とされ、その中央に位置決め孔を具えてネジ部品で底棒の下方に設けられた雌ネジシートの雌ネジ孔に結合され、
以上の部品が組み合わされ、使用者がバットで球置き管或いは撓み性管を打つ時に中空の撓み性管に設けられた複数の環形凹溝により比較的大きな幅の湾曲を形成して直接打撃力を受けることでバッティング練習器が倒れる状況を防止し、これにより使用時の安定性を増したことを特徴とする、バッティング練習器。
【考案の詳細な説明】
【技術分野】
【０００１】
本考案は一種の野球のバッティング練習器に係り、特に使用者がスイングして球置き管或いは撓み性管を打つ時、中空の撓み性管の複数の環形凹溝を利用して比較的大きな幅の湾曲を形成するようにして直接打撃力を受けて倒れる状況を防止し、その使用時の安定性を増したバッティング練習器に関する。
【背景技術】
【０００２】
周知のバッティング練習器は図１に示されるようであり、それは、ベース６、中棒７、及び球置き管８で構成されている。球置き管８の上端には野球のボール８０が置かれ、使用者はバットを利用して打撃練習をすることができる。しかし、バットがボール８０にあたらずに球置き管８、或いは中棒７に当たる時、球置き管８と中棒７はいずれもゴム材質でやや湾曲するとはいえ、打撃の力を打ち消すことはできず、倒れる状況が発生する。製品によってはベース６の面積と重量を増したものもあるが、依然として倒れる状況の発生を防止することはできない。このような周知の製品は使用時に倒れやすく、またその重さと体積が大きく、携帯に不便であるという欠点を有している。
【考案の開示】
【考案が解決しようとする課題】
【０００３】
本考案の主要な目的は、一種のバッティング練習器を提供することにあり、それは、使用者がスイングしたバットが球置き管或いは撓み性管に当たる時、中空の撓み性管に設けられた複数の環形凹溝により比較的大きな幅の湾曲を形成して直接打撃力を受けることでバッティング練習器が倒れる状況を防止し、これにより使用時の安定性を増し、且つ製造生産時に大きな面積と重量を必要としないようにし、体積を節約し且つ製造コストを減らし、使用者に携帯の便利性を提供するものとする。
【課題を解決するための手段】
【０００４】
請求項１の考案は、球置き管、撓み性管、中棒、底棒、ベースを具えたバッティング練習器であり、
該球置き管は中空の管体とされ、プラスチック材料で形成され、その上端が拡大管口を呈してボールを支持し、下方に環形フランジを具えて撓み性管の上方に圧入され、
該撓み性管は軟性ゴムで形成された中空管とされ、且つその外周に複数の環形凹溝が形成され、上端に管径が小さい管口が形成されて球置き管の下方の環形フランジが圧入され、該撓み性管の下端に管径が小さい管底があり中棒の上方と嵌挿され、
該中棒はゴムで形成され、その上方に設けられた環形凹縁により環形フランジが形成され、該環形フランジが撓み性管の下方に挿入され、中棒の下方が底棒の嵌め溝上方に挿入され、
該底棒は嵌め溝を具え、中棒の下方が緊迫方式で適当な距離挿入され、その下方に金属雌ネジシートを具え、ネジ部品でベースと結合され、
該ベースはゴム材質の板塊状体とされ、その中央に位置決め孔を具えてネジ部品で底棒の下方に設けられた雌ネジシートの雌ネジ孔に結合され、
以上の部品が組み合わされ、使用者がバットで球置き管或いは撓み性管を打つ時に中空の撓み性管に設けられた複数の環形凹溝により比較的大きな幅の湾曲を形成して直接打撃力を受けることでバッティング練習器が倒れる状況を防止し、これにより使用時の安定性を増したことを特徴とする、バッティング練習器としている。
【考案の効果】
【０００５】
本考案のバッティング練習器は以下のような効果を有する。
１．中空の撓み性管に設けられた複数の環形凹溝により比較的大きな幅の湾曲を形成して直接打撃力を受けることでバッティング練習器が倒れる状況を防止し、これにより使用時の安定性を増している。
２．製造生産時に大きな面積と重量を必要としないようにし、体積を節約し且つ製造コストを減らし、使用者に携帯の便利性を提供する。
【考案を実施するための最良の形態】
【０００６】
本考案のバッティング練習器は、球置き管１、撓み性管２、中棒３、底棒４、ベース５を具えたバッティング練習器であり、
該球置き管１は中空の管体とされ、プラスチック材料で形成され、その上端１１が拡大管口を呈してボール９を支持し（図３の点線部分参照）、下方に環形フランジ１２を具えて撓み性管２の上方に圧入され、
該撓み性管２は軟性ゴムで形成された中空管とされ、且つその外周に複数の環形凹溝２１が形成され、上端２２に管径が小さい管口が形成されて球置き管１の下方の環形フランジ１２が圧入され、該撓み性管２の下端に管径が小さい管底があり中棒３の上方と嵌挿され、
該中棒３はゴムで形成され、その上方に設けられた環形凹縁３０により環形フランジ３１が形成され、該環形フランジ３１が撓み性管２の下方に挿入され、中棒３の下方が底棒４の嵌め溝４１上方に挿入され、
該底棒４は嵌め溝４１を具え、中棒３の下方が緊迫方式で適当な距離挿入され、その下方に金属雌ネジシート４２（図４参照）を具え、ネジ部品４３でベース５と結合され、
該ベース５はゴム材質の板塊状体とされ、その中央に位置決め孔５１を具えてネジ部品４３で底棒４の下方に設けられた雌ネジシート４２の雌ネジ孔４２１に結合され、
以上の部品が組み合わされ、使用者がバットで球置き管１或いは撓み性管２を打つ時に中空の撓み性管２に設けられた複数の環形凹溝２１により比較的大きな幅の湾曲を形成して直接打撃力を受けることでバッティング練習器が倒れる状況を防止し、これにより使用時の安定性を増し、且つ製造生産時に大きな面積と重量を必要としないようにし、体積を節約し且つ製造コストを減らし、使用者に携帯の便利性を提供する。
【０００７】
このほか、不使用時には球置き管１、撓み性管２、中棒３、底棒４及びベース５を分解して、収納或いは携帯に便利とすることができる。
【図面の簡単な説明】
【０００８】
【図１】周知の製品の立体図である。
【図２】本考案の実施例の立体分解図である。
【図３】本考案の実施例の立体図である。
【図４】本考案の実施例の組合せ断面図である。
【符号の説明】
【０００９】
１  球置き管          １１  上端        １２  環形フランジ
２  撓み性管          ２１  環形凹溝    ２２  上端
２３  下端            ３  中棒          ３０  環形凹縁
３２  下方            ４  底棒          ４１  嵌め溝
４２  雌ネジシート    ４２１  雌ネジ孔  ４３  ネジ部品
５  ベース            ５１  位置決め孔  ９  ボール
【図１】
0003103848.tif 000003
【図２】
0003103848.tif 000004
【図３】
0003103848.tif 000005
【図４】
0003103848.tif 000006